(57)【要約】【課題】  水の状態の一定性の向上を図ることができる水処理装置を提供すること。【解決手段】  本発明に係る水処理装置１は、利用者が入る水槽内の被処理水１００の状態を制御する水処理装置であって、水槽を含む一定の範囲内の滞留者数に関する情報を取得する入退場者センサ４００と、被処理水１００の状態を制御する水処理手段３００と、当該水処理装置１の動作を制御する制御手段５５１とを有し、制御手段５５１は、滞留者数に関する情報に基づいて水処理手段３００の制御量を決定する機能を有する。【選択図】  図１
2006289230.tif 000002
【特許請求の範囲】
【請求項１】
利用者が入る水槽内の水の状態を制御する水処理装置であって、
前記水槽を含む一定の範囲内の滞留者数に関する情報を取得する滞留者情報取得手段と、
前記水の状態を制御する水処理手段と、
当該水処理装置の動作を制御する制御手段とを有し、
前記制御手段は、前記滞留者数に関する情報に基づいて前記水処理手段の制御量を決定する機能を有する水処理装置。
【請求項２】
前記滞留者数に関する情報及び前記水の状態に関する情報を時系列に記憶する利用状態・水質情報記憶手段を更に有し、
前記制御手段は前記利用状態・水質情報記憶手段に記憶された情報に基づいて前記水処理手段の制御量を決定する機能を更に有する請求項１に記載の水処理装置。
【請求項３】
利用者が入る水槽内の水の状態を制御する水処理装置であって、
前記水槽を含む一定の範囲内の入退場者を検出する入退場者情報取得手段と、
前記水の状態を制御する水処理手段と、
当該水処理装置の動作を制御する制御手段とを有し、
前記制御手段は、前記入退場者情報に基づいて前記水処理手段の制御量を決定する機能を有する水処理装置。
【請求項４】
前記入退場者情報取得手段により検出された入退場者情報に基づき前記一定の範囲内の滞留者数を算出する滞留者数算出手段を更に有し、
前記制御手段は、前記入退場者数及び前記滞留者数に基づいて前記水処理手段の制御量を決定する機能を有することを特徴とする請求項３に記載の水処理装置。
【請求項５】
前記入退場者情報及び前記水の状態に関する情報を時系列に記憶する利用状態・水質情報記憶手段を更に有し、
前記制御手段は前記利用状態・水質情報記憶手段に記憶された情報に基づいて前記水処理手段の制御量を決定する機能を更に有する請求項３又は４に記載の水処理装置。
【請求項６】
前記入退場者情報、前記滞留者情報及び前記水の状態に関する情報を時系列に記憶する利用状態・水質情報記憶手段を更に有し、
前記制御手段は前記利用状態・水質情報記憶手段に記憶された情報に基づいて前記水処理手段の制御量を決定する機能を更に有する請求項４に記載の水処理装置。
【請求項７】
前記利用状態・水質情報記憶手段は前記水処理手段により行なわれた制御及び／又は前記制御手段により行なわれた前記水処理手段への制御に関する情報を更に時系列に記憶することを特徴とする請求項２、５又は６に記載の水処理装置。
【請求項８】
前記水の状態を測定する水質測定手段を更に有し、
前記制御手段は前記水質測定手段により測定された情報に基づいて前記水処理手段の制御量を決定する機能を更に有することを特徴とする請求項１乃至７いずれかに記載の水処理装置。
【請求項９】
前記水の状態を測定する水質測定手段を更に有し、
前記水質測定手段により測定された情報及び前記利用状態・水質情報記憶手段に記憶される情報を、当該利用状態・水質情報記憶手段に時系列に登録する情報登録手段を更に有することを特徴とする請求項２又は５乃至７いずれかに記載の水処理装置。
【請求項１０】
利用者が入る水槽内の水の状態を制御する水処理制御装置であって、
前記水槽を含む一定の範囲内の滞留者数に関する情報を取得する情報取得部と、
前記滞留者数に関する情報に基づいて、前記水槽内の水の状態の制御量を決定する制御部と、
前記制御部により決定された制御量に従って前記水槽内の水の状態を制御するための信号を出力する手段とを有する水処理制御装置。
【請求項１１】
利用者が入る水槽内の水の状態を制御する水処理制御装置であって、
前記水槽を含む一定の範囲内の入退場者情報を取得する情報取得部と、
前記入退場者情報に基づいて、前記水槽内の水の状態の制御量を決定する制御部と、
前記制御部により決定された制御量に従って前記水槽内の水の状態を制御するための信号を出力する手段とを有する水処理制御装置。
【請求項１２】
利用者が入る水槽内の水の状態を制御する水処理方法であって、
前記水槽を含む一定の範囲内の滞留者数に関する情報を検出するステップと、
前記滞留者数に関する情報に基づいて前記水槽内の水の状態の制御量を決定するステップと、
前記決定された制御量に従って前記水槽内の水の状態を制御するステップとを有する水処理方法。
【請求項１３】
利用者が入る水槽内の水の状態を制御する水処理方法であって、
前記水槽を含む一定の範囲内の入退場者数を検出するステップと、
前記入退場者数に基づいて前記水槽内の水の状態の制御量を決定するステップと、
前記決定された制御量に従って前記水槽内の水の状態を制御するステップとを有する水処理方法。
【発明の詳細な説明】
【技術分野】
【０００１】
本発明は水処理装置及び水処理方法に関し、特に被処理水の状態の変化に先駆けた処理を可能とする水処理装置及び水処理方法に関する。
【背景技術】
【０００２】
プールや浴場の浴槽のような大型の水槽に貯蔵された被処理水は、例えば電解槽で行われる電気分解によって生成される次亜塩素酸イオン、塩素ガス、次亜塩素酸及び活性酸素等により滅菌処理を行っている。水槽内の水質の計測は残留塩素濃度を測定することにより行い、測定された残留塩素濃度に基づいて水槽に供給する滅菌液の流入量を制御することにより水質が一定に制御されていた。この様な技術は例えば特許文献１に記載されている。
【特許文献１】特開２００２−３４６５６５号公報
【発明の開示】
【発明が解決しようとする課題】
【０００３】
特許文献１に開示された水処理装置による水質の管理では、残留塩素濃度の低下に応じて滅菌液の流入量を制御するため、残留塩素濃度が低下した後の、いわゆる後手の制御となることは避けられない。即ち、水質が悪化したことを検出し、水質を制御することとなるため、常に一定の水質を保つことが不可能である。
【０００４】
本発明はこのような問題を解決するためになされたものであり、水の状態の一定性の向上を図ることができる水処理装置及び水処理方法を提供することを目的とする。
【課題を解決するための手段】
【０００５】
本発明に係る水処理装置は、利用者が入る水槽内の水の状態を制御する水処理装置であって、前記水槽を含む一定の範囲内の滞留者数に関する情報を取得する滞留者情報取得手段と、前記水の状態を制御する水処理手段と、当該水処理装置の動作を制御する制御手段とを有し、前記制御手段は、前記滞留者数に関する情報に基づいて前記水処理手段の制御量を決定する機能を有する。これにより、被処理水の状態の変化に先駆けて被処理水の状態を制御することができ、水の状態の一定性の向上を図ることができる水処理装置を提供することができる。
【０００６】
ここで、前記滞留者数に関する情報及び前記水の状態に関する情報を時系列に記憶する利用状態・水質情報記憶手段を更に有し、前記制御手段は前記利用状態・水質情報記憶手段に記憶された情報に基づいて前記水処理手段の制御量を決定する機能を更に有することが好ましい。これにより、実測地に基づいた制御を行なうことが可能となり、水処理精度の向上を図ることができる。
【０００７】
他方、本発明に係る他の水処理装置は、利用者が入る水槽内の水の状態を制御する水処理装置であって、前記水槽を含む一定の範囲内の入退場者を検出する入退場者情報取得手段と、前記水の状態を制御する水処理手段と、当該水処理装置の動作を制御する制御手段とを有し、前記制御手段は、前記入退場者情報に基づいて前記水処理手段の制御量を決定する機能を有する。これにより、例えば利用者が浴場に入場した段階で制御を行なうことができるため、更に被処理水の状態の変化に先駆けて被処理水の状態を制御することが可能となり、水の状態の一定性の向上を図ることができる水処理装置を提供することができる。また、利用者の入れ替わりの頻度に応じて被処理水の状態を制御することが可能となる。
【０００８】
ここで、前記入退場者情報取得手段により検出された入退場者情報に基づき前記一定の範囲内の滞留者数を算出する滞留者数算出手段を更に有し、前記制御手段は、前記入退場者数及び前記滞留者数に基づいて前記水処理手段の制御量を決定する機能を有することが好ましい。これにより、例えば実際に浴場にいる利用者数と、利用者の入れ替わりの頻度との両方に応じて被処理水の状態を制御することが可能となる。
【０００９】
また、前記入退場者情報及び前記水の状態に関する情報を時系列に記憶する利用状態・水質情報記憶手段を更に有し、前記制御手段は前記利用状態・水質情報記憶手段に記憶された情報に基づいて前記水処理手段の制御量を決定する機能を更に有することが好ましい。これにより、実測地に基づいた制御を行なうことが可能となり、水処理精度の向上を図ることができる。
【００１０】
他方、前記入退場者情報、前記滞留者情報及び前記水の状態に関する情報を時系列に記憶する利用状態・水質情報記憶手段を更に有し、前記制御手段は前記利用状態・水質情報記憶手段に記憶された情報に基づいて前記水処理手段の制御量を決定する機能を更に有することが好ましい。これにより、実測地に基づいた制御を行なうことが可能となり、水処理精度の向上を図ることができる。
【００１１】
また、前記利用状態・水質情報記憶手段は前記水処理手段により行なわれた制御及び／又は前記制御手段により行なわれた前記水処理手段への制御に関する情報を更に時系列に記憶することが好ましい。これにより、これにより、制御情報そのものが記憶されることとなるため、制御量の決定を容易に行うことができる。
【００１２】
更に、前記水の状態を測定する水質測定手段を更に有し、前記制御手段は前記水質測定手段により測定された情報に基づいて前記水処理手段の制御量を決定する機能を更に有することが好ましい。これにより、被処理水の状態に異常が発生した場合においても、それを検出して異常に応じた制御を行なうことができる。
【００１３】
また、前記水の状態を測定する水質測定手段を更に有し、前記水質測定手段により測定された情報及び前記利用状態・水質情報記憶手段に記憶される情報を、当該利用状態・水質情報記憶手段に時系列に登録する情報登録手段を更に有することが好ましい。これにより、被処理水の制御量を決定するための情報を蓄積し、制御の精度を向上していくことができる。
【００１４】
他方、本発明に係る水処理制御装置は、利用者が入る水槽内の水の状態を制御する水処理制御装置であって、前記水槽を含む一定の範囲内の滞留者数に関する情報を取得する情報取得部と、前記滞留者数に関する情報に基づいて、前記水槽内の水の状態の制御量を決定する制御部と、前記制御部により決定された制御量に従って前記水槽内の水の状態を制御するための信号を出力する手段とを有する。これにより、被処理水の状態の変化に先駆けて被処理水の状態を制御するための命令を発信することができ、水の状態の一定性の向上を図ることができる水処理装置を提供することができる。
【００１５】
他方、本発明に係る他の水処理制御装置は、利用者が入る水槽内の水の状態を制御する水処理制御装置であって、前記水槽を含む一定の範囲内の入退場者情報を取得する情報取得部と、前記入退場者情報に基づいて、前記水槽内の水の状態の制御量を決定する制御部と、前記制御部により決定された制御量に従って前記水槽内の水の状態を制御するための信号を出力する手段とを有する。これにより、被処理水の状態の変化に先駆けて被処理水の状態を制御するための命令を発信することができ、水の状態の一定性の向上を図ることができる水処理装置を提供することができる。これにより、例えば利用者が浴場に入場した段階で制御を行なわせる命令を発信することができるため、更に被処理水の状態の変化に先駆けて被処理水の状態を制御することが可能となり、水の状態の一定性の向上を図ることができる水処理装置を提供することができる。また、利用者の入れ替わりの頻度に応じて、被処理水の状態を制御するための命令を発信することが可能となる。
【００１６】
他方、本発明に係る水処理方法は、利用者が入る水槽内の水の状態を制御する水処理方法であって、前記水槽を含む一定の範囲内の滞留者数に関する情報を検出するステップと、前記滞留者数に関する情報に基づいて前記水槽内の水の状態の制御量を決定するステップと、前記決定された制御量に従って前記水槽内の水の状態を制御するステップとを有する。これにより、被処理水の状態の変化に先駆けて被処理水の状態を制御することができ、水の状態の一定性の向上を図ることができる水処理装置を提供することができる。
【００１７】
他方、本発明に係る他の水処理方法は、利用者が入る水槽内の水の状態を制御する水処理方法であって、前記水槽を含む一定の範囲内の入退場者数を検出するステップと、前記入退場者数に基づいて前記水槽内の水の状態の制御量を決定するステップと、前記決定された制御量に従って前記水槽内の水の状態を制御するステップとを有する。これにより、例えば利用者が浴場に入場した段階で制御を行なうことができるため、更に被処理水の状態の変化に先駆けて被処理水の状態を制御することが可能となり、水の状態の一定性の向上を図ることができる水処理装置を提供することができる。また、利用者の入れ替わりの頻度に応じて、被処理水の状態を制御するための命令を発信することが可能となる。
【発明の効果】
【００１８】
本発明により、水の状態の一定性の向上を図ることができる水処理装置及び水処理方法を提供することができる。
【発明を実施するための最良の形態】
【００１９】
実施の形態１．
以下に本発明の実施例を図面を用いて詳細に説明する。本発明は、温泉等の広大な浴槽の水の状態が当該浴場の滞留者数及び滞留者数に関する情報に伴って変化することに着目したものである。本実施形態においては水処理装置の例として、温泉の水の状態を一定に保つように制御する水処理装置の例を説明するが、これ以外にもプールや銭湯等、利用者の入る水槽が設置された施設であれば適用可能である。図1は本実施形態に係る水処理装置の構成を示すブロック図である。図1に示すように、本実施形態に係る水処理装置１は、被処理水１００、水質計測部２００、水処理部３００、入退場者センサ４００、水処理制御部５００及び利用状態・水質情報ＤＢ６００を有する。
【００２０】
本実施形態に係る水処理装置１の動作の概略を説明すると、水質計測部２００は浴槽内の被処理水１００の水温、塩素濃度及び水位等、被処理水１００のあらゆる状態（水質情報）を計測し、水処理制御部５００へ送信する。他方、入退場者センサ４００は浴場の入退場者数をカウントし、水処理制御部５００へ送信する。水処理制御部５００は受信した入退場者情報を元に浴場の滞留者数情報を生成し、当該滞留者情報と利用状態・水質情報ＤＢ６００に格納された情報とに基づいて水処理部３００を制御し、被処理水１００の状態を制御する。更に、水処理制御部５００は、被処理水１００の水質情報、水処理部３００に行なわせた制御の情報及びこの時の滞留者数情報等を時系列に利用状態・水質情報ＤＢ６００に記憶する。
【００２１】
即ち、本実施形態に係る水処理装置１は、上記の滞留者数から被処理水１００の状態の変化を予測し、被処理水１００の状態を前もって制御している。ここで、水処理制御部５００は、水質計測部２００から受信する情報に基づいて水処理部３００を制御することも可能である。しかしながら、水質計測部２００から受信する水質情報のみをモニターして被処理水１００の状態の制御を行なったのでは、被処理水１００の状態の変化に対する後手の制御となってしまい、常に水質を一定に保つことはできない。滞留者数と被処理水１００の状態及びそれに対して行った制御との相関関係を利用状態・水質情報ＤＢ６００に蓄積し、滞留者数に応じて水処理部３００を動作させることにより、被処理水１００の状態の変化に先駆けた制御が可能となり、被処理水１００の状態の一定性を向上することができる。
【００２２】
被処理水１００は本実施形態に係る水処理装置１により処理される水であり、本実施形態においては温泉の浴槽の湯である。但し、被処理水１００は必ずしも浴槽内で処理される必要はなく、浴槽から出て浴槽に戻るように水処理用の循環水路を設け、当該水路内若しくは当該水路の途中に設けられた中途槽内で温度、塩素濃度及び水位を制御されても良い。また、これらのうちのいずれかが当該水路又は水路の途中に設けられた中途槽内で制御され、その他が浴槽内で制御されても良い。特に、被処理水１００の温度及び水位は浴槽内の状態を直接的に計測し、又は制御可能であることが好ましい。
【００２３】
水質計測部２００は被処理水１００の状態を定期的又はリアルタイムに計測する。本実施形態における水質計測部２００は温度計測部２０１、塩素濃度計測部２０２及び水位計測部２０３を有し、温度計測部２０１は被処理水１００の温度を、塩素濃度計測部２０２は被処理水１００の塩素濃度を、水位計測部２０３は被処理水１００の水位を夫々計測する。計測された被処理水１００の状態は水質計測部２００から水処理制御部５００に送信される。
【００２４】
上記の通り、本実施形態においては、被処理水１００の状態として温度、塩素濃度及び水位をモニターする。これにより、温泉の湯に必要な状態を常に監視することができる。ここで、塩素濃度は被処理水１００の殺菌状態に関する。また、本実施形態において、水質計測部２００は被処理水１００の温度、塩素濃度及び水位を計測するが、この他、塩素以外の物質の濃度、水圧、透明度等、液体の状態として考え得る様々な状態を計測し、水処理制御部５００へ送信可能とすることができる。
【００２５】
水処理部３００は被処理水１００の状態を制御する。本実施形態における水処理部３００は温度制御部３０１、塩素濃度制御部３０２及び水位制御部３０３を有し、温度制御部３０１は被処理水１００の温度を、塩素濃度制御部３０２は被処理水１００の塩素濃度を、水位制御部３０３は被処理水１００の水位を夫々制御する。水処理部３００は水処理制御部５００の制御によって動作する。
【００２６】
温度制御部３０１は、例えば被処理水１００へ与える熱量を制御することによって被処理水１００を加熱し、又は被処理水１００から熱量を奪うことにより被処理水１００を冷却する。塩素濃度制御部３０２は、例えば被処理水１００への塩素の注入量を制御することにより被処理水１００の塩素濃度を制御する。水位制御部３０３は、例えば源泉から汲み上げた湯の被処理水１００への流入量を制御することにより被処理水１００の水位を制御する。ここで、本実施形態において、水処理部３００は被処理水１００の温度、塩素濃度及び水位を制御するが、この他、塩素以外の物質の濃度、水圧、透明度等、液体の状態として考え得る様々な状態を制御可能とすることができる。
【００２７】
図１においては、水質計測部２００及び水処理部３００は温度、塩素濃度及び水位に対応する計測部、制御部を夫々１つのまとまりとして示しているが、夫々が別々に設けられても良い。特に、温度計測部２０１及び水位計測部２０３は浴槽内の被処理水１００の状態を計測することが望まれるため、通常浴槽に設けられるが、その他の計測部又は制御部は特に浴槽に設けられる必要はなく、上述した様な水路又は中途槽に設けられても良い。
【００２８】
入退場者センサ４００は温泉の入退場口等に設置され、浴場内への入場者及び浴場からの退場者を検出し、当該情報を水処理制御部５００へ送信する。水質計測部２００、水処理部３００及び入退場者センサ４００は図１において夫々１つしか示されていないがこれに限定されない。例えば、浴場に複数の出入り口がある場合は夫々の出入り口に入退場者センサ４００を設ける必要がある。また、温泉等の浴場は広いため、複数の位置に水質計測部２００及び水処理部３００を設けるべきである。
【００２９】
水処理制御部５００は図１に示す水処理装置１全体の動作を制御する装置であり、水質計測部２００、水処理部３００、入退場者センサ４００及び利用状態・水質情報ＤＢ６００と接続されている。但し、利用状態・水質情報ＤＢ６００は水処理制御部５００内に設けられても良い。水処理制御部５００は、水質計測部２００及び入退場者センサ４００から受信する情報並びに利用状態・水質情報ＤＢ６００に格納された情報に基づき水処理部３００を制御する。詳細には、水処理制御部５００は浴場内の滞留者数に応じて、利用状態・水質情報ＤＢ６００に格納された滞留者数と水質情報との相関関係に基づき、水処理部３００を制御する。
【００３０】
水処理制御部５００は制御部５５１、記憶部５５２、情報取得・格納部５５３及び滞留者算出部５５４を有する。制御部５５１は水処理制御部５００及び／又は水処理装置１全体の動作を制御する。記憶部５５２は水処理制御部５００及び／又は水処理装置１全体を動作させるプログラムや、被処理水の規定温度、規定塩素濃度及び規定水位等の必要なデータを記憶している。
【００３１】
情報取得・格納部５５３は水質計測部２００、入退場者センサ４００及び利用状態・水質情報ＤＢ６００から必要な情報を取得し、又は利用状態・水質情報ＤＢ６００に情報を格納する。滞留者算出部５５４は、情報取得・格納部５５３が入退場者センサ４００から取得した入退場者数に基づき、浴場内の滞留者数を算出する。
【００３２】
利用状態・水質情報ＤＢ６００は水質計測部２００が計測した水質情報と、水処理部３００による水質制御情報と、入退場者センサ４００が計測した入退場者数に基づき算出された滞留者数とが図２に示すように時系列に格納されている。即ち、利用状態に関する情報である滞留者数に関する情報と、水質に関する情報とが、夫々対応付けられて格納されている。この様に情報を蓄積することにより、被処理水１００の状態、被処理水１００に対する制御、滞留者数の夫々の相関関係を測定することができる。当該相関関係の情報を蓄積することにより、滞留者数に応じた水処理部３００の最適な制御量を予測・決定することができる。ここで、利用状態・水質情報ＤＢ６００には図２に示す以外にも、制御部５５１又は水処理制御部５００から水処理部３００に対して行った制御に関する情報が格納されても良い。
【００３３】
利用状態・水質情報ＤＢ６００に蓄積された情報に基づき、例えば図３に示すような表を生成することができる。図３に示すように、滞留者数を段階ごとにわけ、過去に蓄積された情報から最適な水処理部３００の制御量を関連付けておくことにより、滞留者数に応じた制御が可能となる。図３に示す表は、利用状態・水質情報ＤＢ６００に蓄積される情報に応じて更新されていくことが好ましい。これにより、利用状態・水質情報ＤＢ６００に蓄積される情報の精度を保つことができる。また、図２及び図３に示すような表を、例えば日報等のように定期的に出力することにより、定期的に装置の稼動状況を確認することができる。
【００３４】
従来は、浴場内の滞留者数と被処理水１００の状態及びその制御との相関関係を示す情報が存在せず、被処理水１００の状態の制御は本実施形態に示されるところの水質計測部２００の計測結果に基づいて行われていた。例えば、温度計測部２０１が計測した被処理水１００の温度が水処理制御部５００に記憶されている規定の温度よりも低い場合、水処理制御部５００は温度制御部３０１に対して被処理水１００を過熱するよう命令を出す。
【００３５】
この様な制御の場合、温度計測部２０１が被処理水１００の温度が規定値よりも低いことを検出した後の制御となるため、一時的にでも被処理水１００の温度が規定値を下回ることは避けられない。従って、被処理水１００の状態を常に最適な状態に保つことができない。他方、本実施形態に係る水処理装置１においては、滞留者数の変化に応じて水質制御を行なうため、被処理水１００の状態が変化する前に制御を加えることができ、結果的に被処理水１００の状態の一定性を向上することができる。
【００３６】
次に、本実施形態に係る水処理装置１の動作について説明する。まず、利用状態・水質情報ＤＢ６００に情報が蓄積される動作を説明する。通常時は利用状態・水質情報ＤＢ６００に情報が蓄積される課程の動作を示すフローチャートである。まず、入退場者センサ４００が検出した入退場者数を情報取得・格納部５５３が取得する（Ｓ３０１）。情報取得・格納部５５３が取得した入退場者数情報に基づき、滞留者算出部５５４が滞留者数を算出する（Ｓ３０２）。更に、水質計測部２００が計測した被処理水１００の状態に関する情報（以下、水質情報とする）を情報取得・格納部５５３が取得する（Ｓ３０３）。
【００３７】
制御部５５１は、情報取得・格納部５５３が取得した水質情報が記憶部５５２に記憶されている規定値と合致しているか又は規定値との差が許容範囲内かを判断する（Ｓ３０４）。水質情報と規定値とが合致しない又は差が許容範囲内でないならば、被処理水１００の状態が規定値に近付くよう水処理制御部５００が水処理部３００を制御する（Ｓ３０５）。そして、情報取得・格納部５５３が、Ｓ３０２で算出した滞留者数、Ｓ３０３で取得した水質情報及びＳ３０５でおこなった水質制御情報を利用状態・水質情報ＤＢ６００に格納し（Ｓ３０６）、処理を終了する。Ｓ３０４において、水質情報と規定値とが合致する又は差が許容範囲である場合は、情報取得・格納部５５３が、Ｓ３０２で算出した滞留者数、Ｓ３０３で取得した水質情報及び水処理装置３００の制御量が０である旨の情報を利用状態・水質情報ＤＢ６００に格納し（Ｓ３０６）、処理を終了する。
【００３８】
この様な動作により、滞留者数、被処理水１００の状態及び被処理水１００に対して行った制御の情報が図２に示すように時系列に蓄積され、図３に示すようにそれらの情報の相関関係を測定することが可能となる。滞留者数とそれに応じた水質情報及び被処理水１００に加えた制御情報の相関関係が蓄積されることにより、滞留者数の変化に応じて水処理部３００の制御を最適に行なうことができ、被処理水１００の状態が滞留者数の変化に伴って変化する前に水処理部３００を動作させることができる。
【００３９】
次に、この様にして測定された相関関係により、被処理水１００の状態を制御する動作を説明する。図５は水処理制御部５００の動作を示すフローチャートである。まず、入退場者センサ４００が検出した入退場者数を情報取得・格納部５５３が取得する（Ｓ４０１）。情報取得・格納部５５３が取得した入退場者数情報に基づき、滞留者算出部５５４が滞留者数を算出する（Ｓ４０２）。制御部５５１が、滞留者算出部５５４が算出した滞留者数をキーとして利用状態・水質情報ＤＢ６００を検索し、滞留者数に応じた水処理部３００の制御量を確認する（Ｓ４０３）。制御部５５１は、Ｓ４０３で確認した情報に基づいて水処理部３００を制御する（Ｓ４０４）。
【００４０】
この様に、滞留者数に応じて水処理部３００の動作を制御すれば、水処理部３００の制御量を、滞留者数の変化に伴う被処理水１００の状態の変化に先駆けて制御することができ、被処理水１００の状態の一定性を向上することができる。通常時に示した動作と、図５に示した動作を並行して行なえば、通常時は図５に示す動作によって被処理水１００の状態の一定性を保ち、何らかの異常によって被処理水１００の状態が大きく変化した場合においても通常時に示す動作によってそれを検出し、制御することができる。
【００４１】
本実施の形態においては、滞留者数に関する情報として、入退場者センサにより検出された入退場者数から算出された滞留者数を用いた。この他にも、浴場内の利用者の滞留状況を直接検出することにより、滞留者数に関する情報を得ることができる。例えば、利用者にはリストバンド等の装着を義務付け、当該リストバンドに内蔵されたＩＣタグにより浴場内の利用者数を直接検出することもできるし、浴場内の床に重量を検出する装置を設け、浴場内の利用者の総重量を検出することにより、浴場内の利用者の滞留状況を計測若しくは推測することが可能である。
【００４２】
また、浴場内で利用者が使用するシャワー、蛇口等から流出する水の総流量を計測することにより、浴場内の利用者の滞留状況を計測若しくは推測することができる。更に、サーモグラフによって浴場内利用者の総熱量を検出することにより、浴場内の利用者の滞留状況を計測若しくは推測することもできる。この他、超音波による浴場内の占拠率の計測等、浴場内の混雑状況又は利用状況を計測若しくは推測可能な態様であれば、当該態様によって計測された情報を滞留者数に関する情報として用い、本発明と同様の効果を得ることが可能である。
【００４３】
また、本実施の形態においては、利用状態・水質情報ＤＢ６００は滞留者数に基づいて情報が蓄積されていたが、この他にも、上記で説明した総重量、総流量、総熱量及び占拠率等、浴場内の滞留状況の目安となる情報であれば、当該情報に基づき利用状態・水質情報ＤＢ６００に情報を蓄積することができる。即ち、上述したような滞留者数に関する情報であって、利用状態や被処理水１００の状態の変化を推測可能な情報であれば良い。
【００４４】
以上説明したように、本発明により、水の状態の一定性の向上を図ることができる水処理装置及びその方法並びに水処理装置を提供することができる。
【００４５】
尚、上記の説明においては、入退場者センサ４００は浴場への入退場者をカウントし、水処理制御部５００へ当該情報を送信するのみであったが、カウントされた入退場者数から浴場の滞留者数を算出する機能を更に有しても良い。この場合、水処理制御部５００に設けられている滞留者算出部５５４は必要ない。
【００４６】
また、本実施形態においては水処理装置１全体として動作する例を説明しているが、図１に示す水処理制御部５００を単体として水処理制御装置とすることも可能である。その場合、水質計測部２００と同様の機能を有する水質計測装置、水処理部３００と同様の機能を有する水処理装置、入退場者センサ４００及び利用状態・水質情報ＤＢ６００と接続することにより、図１に示す水処理装置１と同様の機能を有するシステムとして利用することもできる。
【００４７】
他方、上記の説明においては、図５におけるＳ４０３において、制御部５５１が滞留者数に基づいて利用状態・水質情報ＤＢ６００を検索し、抽出された情報に基づいて水処理部３００に与えるべき命令を決定した。しかし、この様な態様以外にも記憶部５５２に滞留者数に基づく水処理部３００の制御量に関する情報が格納されていても良い。これにより、利用状態・水質情報ＤＢ６００を設けずとも滞留者数に応じた水処理部３００の制御を行なうことができる。また、利用状態・水質情報ＤＢ６００を記憶部５５２内に構築することも可能である。
【００４８】
実施の形態２．
本実施形態においては、入退場者センサ４００により検出された入退場者数を直接用いる例を説明する。尚、実施の形態１と同様の符号を付す構成については実施の形態１と同一又は相当部を示し、説明を省略する。図６は、本実施の形態に係る水処理装置２の全体構成を示すブロック図である。図６に示すように、本実施の形態に係る水処理装置２は実施の形態１に係る水処理装置１から滞留者算出部５５４を除いたものである。
【００４９】
実施の形態１においては、滞留者数を基に水処理部３００を制御しているため、入退場の頻度が高い状態で滞留者数が変化しない場合と入退場の頻度が低い状態で滞留者数が変化しない場合とが同一であるとみなされる。しかしながら、前者と後者とでは明らかに前者の方が被処理水１００の状態の変化は大きいと考えられる。本実施の形態に係る水処理装置２は入退場者数に基づき水処理制御装置３００を制御するため、滞留者数が変化しない場合においても、入退場の頻度に応じて被処理水１００の状態を制御することができる。
【００５０】
また、入退場者センサ４００を当該水処理装置２が設置される施設の入り口等に設けた場合は、入場者が検出されてから当該入場者が被処理水１００の状態に影響を与えるようになるまで、即ち浴場内で浴槽に入るまでの間にタイムラグが発生する。入退場者センサ４００に入場者が検出された時点で水処理部３００を制御することにより、入場者が被処理水１００の状態に影響を与える前に被処理水１００に制御を加えることができる。
【００５１】
尚、実施の形態１における利用状態・水質情報ＤＢ６００は、図２及び図３に示すように滞留者数を記憶し、又は滞留者数に基づいて最適な被処理水１００に対する制御量を記憶していたが、本実施形態においては、入場者数に応じて上記の情報を記憶している。実施の形態１における図２に対応する表としては、単位時間内の入場者数、及び単位時間内の被処理水１００の状態の平均値や変移値及び当該時間内に被処理水１００に対して水処理部３００が行った制御量等が記憶されている表である。また、図３に対応する表としては、所定の時間内の入場者数に対応する水処理部３００が行うべき制御等が記憶されている。
【００５２】
以上説明したように、本発明の実施の形態２によれば、利用者の入れ替わりの頻度に応じて被処理水の状態を制御することが可能である水処理装置を提供することができる。
【００５３】
尚、実施の形態２においては、浴場内の入退場者に応じて水処理部３００を制御しているが、実施の形態１と同様に滞留者算出部５５４を設け、入退場者数と滞留者数との両方の情報に基づいて水処理部３００を制御することも可能である。これにより、利用者の滞留状況と、利用者の入れ替わりの頻度の両方に基づいて被処理水１００の状態を制御することができ、被処理水１００の状態の一定性をより高精度にすることができる。この場合、利用状態・水質情報ＤＢ６００には、入退場者数と滞留者数との両方の情報が記憶され、両者の関係に基づいて水処理部３００の最適な制御量に関する情報が蓄積されることが好ましい。
【００５４】
また、利用状態・水質情報ＤＢ６００には、入場者１人に対する水処理部３００が行うべき制御量が記憶されていても良い。即ち、単位時間内の入退場者数に応じて水処理部３００を制御するのではなく、入場者が検出された時点で入場者１人分の被処理水１００に対する制御を水処理部３００に行わせることも可能である。
【図面の簡単な説明】
【００５５】
【図１】本発明の実施の形態１に係る水処理装置の全体構成を示すブロック図である。
【図２】本発明の実施の形態１に係る利用状態・水質情報ＤＢに記憶される情報を示す図である。
【図３】本発明の実施の形態１に係る利用状態・水質情報ＤＢによって構成される滞留者数と制御量との相関関係を示す図である。
【図４】本発明の実施の形態１に係る利用状態・水質情報ＤＢに情報が蓄積される課程の動作を示すフローチャートである。
【図５】本発明の実施の形態１に係る水処理装置の動作を示すフローチャートである。
【図６】本発明の実施の形態２に係る水処理装置の全体構成を示すブロック図である
【符号の説明】
【００５６】
１  水処理装置、１００  被処理水、２００  水質計測部、
２０１  温度計測部、２０２  塩素濃度計測部、２０３  水位計測部、
３００  水処理部、３０１  温度制御部、３０２  塩素濃度制御部、
３０３  水位制御部、４００  入退場者センサ、５００  水処理制御部、
６００  利用状態・水質情報ＤＢ
【図１】
2006289230.tif 000003
【図２】
2006289230.tif 000004
【図３】
2006289230.tif 000005
【図４】
2006289230.tif 000006
【図５】
2006289230.tif 000007
【図６】
2006289230.tif 000008